(57)【要約】【課題】特定サイトのコンテンツが使用者にとって会員登録する価値があるか否かを容易に判断できるホームページ閲覧システムを提供する。【解決手段】ホームページ閲覧システムは、クライアントからのネットワークを介したアクセスに対して一定のアクセス条件を満たす必要があり、複数のテストに使用されるブラウザ画面を有する特定サイトを記録する記録部を備える。クライアントからのアクセスがアクセス条件を満たすか否かを判断する制御部を備える。制御部は、ブラウザ画面のうちで、複数のテストのうちの特定のテストに使用される特定ブラウザ画面について、アクセス条件を満たさない場合でもクライアントからのアクセスが可能になるように設定する。特定サイトは、アクセス条件を満たさない場合に使用される特定ブラウザ画面にアクセスして行われたテストの結果を表示する特定競争動作結果用ブラウザ画面（非会員用結果ページＷ７１ｂ）を含む。【選択図】図１２
2008186351.tif 000002
【特許請求の範囲】
【請求項１】
閲覧者側クライアントからのネットワークを介したアクセスに対して一定のアクセス条件を満たす必要があり、複数の優劣を争う競争動作に使用される競争動作実行用ブラウザ画面を有する特定サイトを記録する記録部と、
前記閲覧者側クライアントからのアクセスが前記アクセス条件を満たすか否かを判断する制御部とを備え、
前記制御部は、前記競争動作実行用ブラウザ画面のうちで、前記複数の競争動作のうちの特定の競争動作に使用される特定競争動作実行用ブラウザ画面について、前記アクセス条件を満たさない場合でも前記閲覧者側クライアントからのアクセスが可能になるように設定し、
前記特定サイトは、前記アクセス条件を満たさない場合に使用される前記特定競争動作実行用ブラウザ画面にアクセスして行われた競争動作の結果を表示する特定競争動作結果用ブラウザ画面を含むことを特徴とするホームページ閲覧システム。
【請求項２】
前記特定競争動作結果用ブラウザ画面は、前記アクセス条件を満たす場合に前記閲覧者側クライアントを介して行われた競争動作の結果を、前記アクセス条件を満たさない場合に前記閲覧者側クライアントを介して行われた競争動作の結果を含めないで、ランキング表示することを特徴とする請求項１に記載のホームページ閲覧システム。
【請求項３】
前記特定競争動作結果用ブラウザ画面は、前記アクセス条件を満たさない場合に前記閲覧者側クライアントを介して行われた競争動作の結果の、前記アクセス条件を満たす場合に前記閲覧者側クライアントを介して行われた競争動作の結果に対する順位を表示することを特徴とする請求項１に記載のホームページ閲覧システム。
【請求項４】
前記特定競争動作結果用ブラウザ画面は、前記アクセス条件を満たす手続きを促す表示を行うことを特徴とする請求項１に記載のホームページ閲覧システム。
【請求項５】
前記一定のアクセス条件は、課金を伴い、前記特定サイトは有料サイトであることを特徴とする請求項１に記載のホームページ閲覧システム。
【請求項６】
前記特定サイトは、前記アクセス条件を満たす会員登録を行うために使用される会員登録用ブラウザ画面を含み、
前記会員登録用ブラウザ画面には、前記アクセス条件を満たさない状態でアクセスされた前記特定競争動作結果用ブラウザ画面を介してアクセスされることを特徴とする請求項１に記載のホームページ閲覧システム。
【発明の詳細な説明】
【技術分野】
【０００１】
本発明は、ホームページ閲覧システムに関し、特に会員登録に対応したアクセス条件を満たす必要のある特定サイトの閲覧に際し、会員登録を行う前の段階で、試験的な閲覧を可能にするホームページ閲覧システムに関する。
【背景技術】
【０００２】
従来、会員登録に対応したアクセス条件を満たしたか否かを判断し、満たす場合に、ホームページ閲覧を許可するホームページ閲覧システムが提案されている。
【０００３】
特許文献１などでは、会員登録が完了したことを条件に特定サイトへのアクセスを許可するホームページ閲覧システムを開示する。
【特許文献１】特開２００２−４１８５５号公報
【発明の開示】
【発明が解決しようとする課題】
【０００４】
しかし、会員登録する前に、特定サイトのコンテンツが使用者にとって会員登録する価値があるか否かを判断するための確認が困難である。非会員用に試用ページが閲覧可能なサイトも存在するが、会員用のページのコンテンツと異なるため、判断が困難である。また、非会員用のページを会員用のページに加えて別途作成する必要がある。
【０００５】
したがって本発明の目的は、特定サイトのコンテンツが使用者（閲覧者）にとって会員登録する価値があるか否かを容易に判断できるホームページ閲覧システムを提供することである。
【課題を解決するための手段】
【０００６】
本発明に係るホームページ閲覧システムは、閲覧者側クライアントからのネットワークを介したアクセスに対して一定のアクセス条件を満たす必要があり、複数の優劣を争う競争動作に使用される競争動作実行用ブラウザ画面を有する特定サイトを記録する記録部と、閲覧者側クライアントからのアクセスがアクセス条件を満たすか否かを判断する制御部とを備え、制御部は、競争動作実行用ブラウザ画面のうちで、複数の競争動作のうちの特定の競争動作に使用される特定競争動作実行用ブラウザ画面について、アクセス条件を満たさない場合でも閲覧者側クライアントからのアクセスが可能になるように設定し、特定サイトは、アクセス条件を満たさない場合に使用される特定競争動作実行用ブラウザ画面にアクセスして行われた競争動作の結果を表示する特定競争動作結果用ブラウザ画面を含む。
【０００７】
好ましくは、特定競争動作結果用ブラウザ画面は、アクセス条件を満たす場合に閲覧者側クライアントを介して行われた競争動作の結果を、アクセス条件を満たさない場合に閲覧者側クライアントを介して行われた競争動作の結果を含めないで、ランキング表示する。
【０００８】
また、好ましくは、特定競争動作結果用ブラウザ画面は、アクセス条件を満たさない場合に閲覧者側クライアントを介して行われた競争動作の結果の、アクセス条件を満たす場合に閲覧者側クライアントを介して行われた競争動作の結果に対する順位を表示する。
【０００９】
また、好ましくは、特定競争動作結果用ブラウザ画面は、アクセス条件を満たす手続きを促す表示を行う。
【００１０】
また、好ましくは、一定のアクセス条件は、課金を伴い、特定サイトは有料サイトである。
【００１１】
また、好ましくは、特定サイトは、アクセス条件を満たす会員登録を行うために使用される会員登録用ブラウザ画面を含み、会員登録用ブラウザ画面には、アクセス条件を満たさない状態でアクセスされた特定競争動作結果用ブラウザ画面を介してアクセスされる。
【発明の効果】
【００１２】
以上のように本発明によれば、特定サイトのコンテンツが使用者（閲覧者）にとって会員登録する価値があるか否かを容易に判断できるホームページ閲覧システムを提供することができる。
【発明を実施するための最良の形態】
【００１３】
以下、本実施形態におけるホームページ閲覧システム１の構成について、図を用いて説明する。本実施形態に係るホームページ閲覧システム１は、提供者側クライアントＡ、閲覧者側クライアントＢ、及びサーバーＣを備える（図１参照）。提供者側クライアントＡは、ネットワークを通してサーバーＣと通信が可能な状態にあり、閲覧者側クライアントＢは、ネットワークを通してサーバーＣと通信が可能な状態にある。
【００１４】
本実施形態では、閲覧者側クライアントＢが１台であるとして説明するが、複数台で構成されてもよい。
【００１５】
提供者側クライアントＡは、ホームページを公開（提供）する企業などの提供者が使用するコンピュータで、提供者側制御部３０Ａ、提供者側入力部４０Ａ、及び提供者側表示部５０Ａを有する。提供者側制御部３０Ａは、提供者側クライアントＡの各部を制御する他、サーバーＣとの通信を行う。提供者側入力部４０Ａは、提供者側制御部３０Ａを介してサーバーＣに送るコマンドを入力するキーボードやポインティングデバイスなどの入力装置である。提供者側表示部５０Ａは、サーバーＣの記録部６０Ｃに記録されるべきトップページＷ１等のブラウザ画面を表示する。提供者は、提供者側入力部４０Ａ、提供者側表示部５０Ａを用いて、サーバーＣの記録部６０Ｃに記録されるべきトップページＷ１等のブラウザ画面を作成し、ネットワークを通じてサーバーＣに当該ブラウザ画面をアップロードする。
【００１６】
閲覧者側クライアントＢは、ホームページを閲覧するユーザーなどの使用者（閲覧者）が使用するコンピュータや携帯電話で、閲覧者側制御部３０Ｂ、閲覧者側入力部４０Ｂ、及び閲覧者側表示部５０Ｂを有する。閲覧者側制御部３０Ｂは、閲覧者側クライアントＢの各部を制御する他、サーバーＣとの通信を行う。閲覧者側入力部４０Ｂは、閲覧者側制御部３０Ｂを介してサーバーＣに送るコマンドを入力するキーボードやポインティングデバイスなどの入力装置である。閲覧者側表示部５０Ｂは、サーバーＣの記録部６０Ｃに記録されたトップページＷ１等のブラウザ画面を表示する。
【００１７】
サーバーＣは、制御部３０Ｃ、及び記録部６０Ｃを有する。制御部３０Ｃは、サーバーＣの各部を制御する他、提供者側クライアントＡ、及び閲覧者側クライアントＢと通信を行う。記録部６０Ｃは、提供者側クライアントＡを使って作成されたサイトＳを構成するページ（トップページＷ１等）のブラウザ画面に対応するファイル（ファイルに書き込まれた情報）を記録する。
【００１８】
次に、サイトＳを構成するブラウザ画面の詳細について説明する。なお、各画面上で、下線部を引いて記載された部分はリンクが設けられており、かかる部分をクリックすることにより、関係ページにアクセスされて画面表示切り替えなどが行われる。サイトＳは、ブラウザ画面として、トップページＷ１、会員用コース選択ページＷ２、コース先頭ページＷ３１（Ｗ３２、Ｗ３３、Ｗ３４）、問題ページＷ４１（Ｗ４２、Ｗ４３、Ｗ４４）、正解の場合の解答ページＷ５１（Ｗ５２、Ｗ５３、Ｗ５４）、不正解の場合の解答ページＷ６１（Ｗ６２、Ｗ６３、Ｗ６４）、会員用結果ページＷ７１ａ（Ｗ７２ａ、Ｗ７３ａ、Ｗ７４ａ）、非会員用結果ページＷ７１ｂ、会員登録ページＷ８１、今週の総合ランキングページＷ３０１、及び今週のランキングページＷ３０２を有する。
【００１９】
サイトＳは、テストやゲームなど、閲覧者側クライアントＢを使用する会員登録された使用者間で、優劣を争う競争動作を問題ページＷ４１等のブラウザ画面上で行うホームページを含むサイトである。本実施形態では、英語などの語学学習における単語に関するテストを競争動作として説明する。
【００２０】
サイトＳの、トップページＷ１、会員登録ページＷ８１以外は、有料サイトであり、閲覧者側クライアントＢを介して、閲覧者側クライアントＢを使用する使用者が有料サイトにアクセスするためのＩＤ（例えば、携帯電話情報など）を入力することがアクセス条件とされる。但し、非会員である閲覧者側クライアントＢの使用者が、試験的に使用して会員登録するか否かが検討できるように、一部の有料サイト（本実施形態では、コース先頭ページＷ３１、問題ページＷ４１、正解の場合の解答ページＷ５１、不正解の場合の解答ページＷ６１、非会員用結果ページＷ７１ｂ、今週の総合ランキングページＷ３０１、及び今週のランキングページＷ３０２）が、無料サイトとしてアクセスできるように設定される。図２では、無料サイトとしてアクセスできるページを太字で表示する。
【００２１】
トップページＷ１は、提供者側クライアントＡを使って作成されたホームページのトップページであり（図３参照）、各リンクをクリックすることにより、対応するページにアクセスされる（ブラウザ画面の表示切り替えが行われる）。
【００２２】
例えば、“学習する言語”欄の“英語コース”リンクなどがクリックされると、会員用コース選択ページＷ２にアクセスされる。但し、“学習する言語”欄の選択は、閲覧者側クライアントＢの使用者が会員登録のためのＩＤなどを有する場合に限定される。“無料サービス”欄の“お試し１００単語チェックテスト”リンクがクリックされると、サイトＳ内における会員用の有料サイトとして使用されるページの一部で無料サイトに設定された、コース先頭ページＷ３１にアクセスされる。“会員登録”リンクがクリックされると、会員登録ページＷ８１にアクセスされる。
【００２３】
会員用コース選択ページＷ２は、有料サイトとして利用する学習コースを選択する画面で、会員の登録状況に合わせて、アクセス可能な学習コースに対応する項目がリンク表示される（図４参照）。本実施形態では、初級コースに登録した会員が使用する会員用コース選択ページＷ２を示し、初級コースに関連する２つの項目（基本英単語２０００初級コース、及び基本英単語α初級コース）がリンク可能になっている。
【００２４】
また、本実施形態では、“基本英単語２０００初級コース”に対応する問題などのページ群に、第１初級コースページ群（コース先頭ページＷ３１、問題ページＷ４１、正解の場合の解答ページＷ５１、不正解の場合の解答ページＷ６１、会員用結果ページＷ７１ａ、非会員用結果ページＷ７１ｂ、及び会員登録ページＷ８１）が対応し、“基本英単語２０００α初級コース”に対応する問題などのページ群に、第２初級コースページ群（コース先頭ページＷ３２、問題ページＷ４２、正解の場合の解答ページＷ５２、不正解の場合の解答ページＷ６２、及び会員用結果ページＷ７２ａ）が対応し、“基本英単語２０００中級コース”に対応する問題などのページ群に、第１中級コースページ群（コース先頭ページＷ３３、問題ページＷ４３、正解の場合の解答ページＷ５３、不正解の場合の解答ページＷ６３、及び会員用結果ページＷ７３ａ）が対応し、“基本英単語２０００α中級コース”に対応する問題などのページ群に、第２中級コースページ群（コース先頭ページＷ３４、問題ページＷ４４、正解の場合の解答ページＷ５４、不正解の場合の解答ページＷ６４、及び会員用結果ページＷ７４ａ）が対応するものとして説明する。
【００２５】
第１初級コースページ群は、他のページ群の構成に加えて、非会員用結果ページＷ７１ｂ、及び会員登録ページＷ８１を有し、非会員が試験的に使用する無料ページとしてアクセス可能な状態に設定される。但し、無料ページとして設定されるページ群は他のページ群であってもよいし、また、無料ページとして設定されるページ群は、一部のページ群に限られず全部であってもよい。
【００２６】
第１初級コースページ群を構成するページ（コース先頭ページＷ３１、問題ページＷ４１、正解の場合の解答ページＷ５１、不正解の場合の解答ページＷ６１、会員用結果ページＷ７１ａ、非会員用結果ページＷ７１ｂ、及び会員登録ページＷ８１）を、無料ページとして会員登録していない非会員が使用（アクセス）可能な状態にするための設定は、提供者側クライアントＡの使用者（ホームページ提供者）が入力部４０Ａを介して入力したコマンドに対応したサーバーＣの制御部３０Ｃの制御に基づいて行われる。
【００２７】
また、他の言語に対応する会員用コース選択ページ（不図示）も同様に用意される。
【００２８】
会員用コース選択ページＷ２において、各リンクがクリックされると、対応するコースページ群（ここでは、第１初級コースページ群または第２初級コースページ群）のコース先頭ページＷ３１またはＷ３２にアクセスされる。
【００２９】
コース先頭ページＷ３１（Ｗ３２など他のコース先頭ページも同様）は、各学習コースの先頭ページであり、学習コースの名称（ここでは、“基本英単語２０００  初級コース”）の表示、問題ページＷ４１にアクセスしてテストを開始するための“テストを開始”リンク、週単位ですべての学習コースにおけるテスト結果のランキングを表示する今週の総合ランキングページＷ３０１にアクセスするための“今週の総合ランキング”リング、及び週単位且つ特定単位（ここでは初級、中級などの各学習コースをまとめたクラス単位）のテスト結果のランキングを表示する今週のランキングページＷ３０２にアクセスするための“今週のランキング”リンクを有する（図５参照）。
【００３０】
問題ページＷ４１（Ｗ４２などの他の問題ページも同様）は、各学習コースにおける問題を表示するページであり、学習コースの名称（ここでは、“基本英単語２０００  初級”コース）の表示、問題（ここでは、英単語“ｃｈｉｍｎｅｙ”を翻訳する問題）の表示、問題の英単語を音声で再生するための“発話”リンク、問題に対応する４つの“選択肢”リンクを有する（図６参照）。“選択肢”リンクのいずれかが選択されると、解答の当否に合わせて正解の場合の解答ページＷ５１または不正解の場合の解答ページＷ６１にアクセスされる。
【００３１】
今週の総合ランキングページＷ３０１は、すべての学習コースのテストに対する点数の上位会員のランキングと、閲覧側クライアントＢの使用者のテスト結果順位（図７では第３７位）を週単位で表示する（図７参照）。テスト結果順位は、非会員であっても、算出される。
【００３２】
今週のランキングページＷ３０２は、特定単位のテストに対する点数の上位会員のランキングと、閲覧側クライアントＢの使用者のテスト結果順位（図８では第２５位）を週単位表示する（図８参照）。テスト結果順位は、非会員であっても、算出される。図８は、特定単位として基本英単語の初級クラス（基本英単語２０００  初級コースと、基本英単語２０００α初級コース）における上位会員を示す。
【００３３】
正解の場合の解答ページＷ５１（Ｗ５２などの他の問題ページも同様）は、問題ページＷ４１においてクリックされた “選択肢”リンクの内容が、正解である場合に表示されるページで、学習コースの名称（ここでは、“基本英単語２０００  初級コース”）の表示、回答が正解である旨の表示、問題（ここでは、英単語“ｃｈｉｍｎｅｙ”を翻訳する問題）の表示、問題の解答（英単語の意味）の表示、及び次の問題ページＷ４１へアクセスするための“次の問題へ進む”リンクを有する（図９参照）。
【００３４】
“次の問題へ進む”リンクがクリックされると、新たな問題を有する問題ページＷ４１にアクセスされる。一定回数（本実施形態では１００回）繰り返されるまでは、問題ページＷ４１において正解に対応する“選択肢”リンクがクリックされるたびに、正解の場合の解答ページＷ５１にアクセスされ、正解の場合の解答ページＷ５１において、“次の問題へ進む”リンクがクリックされるたびに、新たな問題を有する問題ページＷ４１へのアクセスが行われる。
【００３５】
図９は、問題ページＷ４１において、問題：英単語“ｃｈｉｍｎｅｙ”の訳として、“（Ｃ）煙突”リンクがクリックされた場合に、この回答（選択）が正解であるとして表示される例を示す。
【００３６】
不正解の場合の解答ページＷ６１（Ｗ６２などの他の問題ページも同様）は、問題ページＷ４１においてクリックされた “選択肢”リンクの内容が、不正解である場合に表示されるページで、学習コースの名称（ここでは、“基本英単語２０００  初級コース”）の表示、回答が不正解である旨の表示、問題（ここでは、英単語“ｃｈｉｍｎｅｙ”を翻訳する問題）の表示、問題の解答（英単語の意味）の表示、及び結果ページへアクセスするための“テストの結果”リンクを有する（図１０参照）。
【００３７】
図１０は、問題ページＷ４１において、問題：英単語“ｃｈｉｍｎｅｙ”の訳として、“（Ａ）能力”リンク、“（Ｂ）（好）都合”リンク、及び“（Ｄ）書記”リンクのいずれかがクリックされた場合に、この回答が不正解であるとして表示される例を示す。
【００３８】
不正解の場合の解答ページＷ６１にアクセスされた場合には、再び問題ページＷ４１にはアクセスされず、テストは終了し、“テストの結果”リンクがクリックされると、会員用結果ページＷ７１ａまたは非会員用結果ページＷ７１ｂにアクセスされる。
【００３９】
会員用結果ページＷ７１ａには、トップページＷ１の“学習する言語”欄のリンク（“英語コース”リンク）がクリックされ、会員用コース選択ページＷ２を介して、問題ページＷ６１の問題を解くテストを行った場合にアクセスされる。会員用結果ページＷ７１ａにアクセスする際に、テストの点数（正解の場合の解答ページＷ５１に繰り返しアクセスされた回数）が、会員のニックネーム（またはＩＤなどでもよい）とともに、記録部６０Ｃに記録される。制御部３０Ｃの制御に基づいて、記録された会員のニックネームとテストの点数の関係から、今週の総合ランキングページＷ３０１、及び今週のランキングページＷ３０２で使用される順位付けが計算され、各ランキングに反映される。
【００４０】
非会員用結果ページＷ７１ｂには、“無料サービス”欄のリンク（“お試し１００単語チェックテスト”リンク）がクリックされ、問題ページＷ６１の問題を解くテストを行った場合にアクセスされる。非会員用結果ページＷ７１ｂにアクセスする際に、テストの点数（正解の場合の解答ページＷ５１に繰り返しアクセスされた回数）が、算出される。制御部３０Ｃの制御に基づいて、算出された点数から、今週の総合ランキングページＷ３０１、及び今週のランキングページＷ３０２で使用される順位付けが計算される。但し、順位を算出するだけで、ランキングには反映されない（例えば、ランキングの１位に相当する点数であっても、他の会員のランキング順位の更新は行われない）。
【００４１】
会員用結果ページＷ７１ａ（Ｗ７２ａなどの他の問題ページも同様）は、問題ページＷ４１を使ったテストの結果が表示されるページで、学習コースの名称（ここでは、“基本英単語２０００  初級コース”）の表示、テスト結果の表示、テスト結果がランキングに登録された旨の表示、再度テストを行うために問題ページＷ４１にアクセスするための“もう一度行う”リンク、及びテストを終了しトップページＷ１にアクセスするための“終了する”リンクを有する（図１１参照）。
【００４２】
非会員用結果ページＷ７１ｂは、問題ページＷ４１を使ったテストの結果が表示されるページで、学習コースの名称（ここでは、“基本英単語２０００  初級コース”）の表示、テスト結果の表示、会員登録すればテスト結果がランキングに登録される旨の表示（アクセス条件を満たす会員登録手続きを促す表示）、会員登録を行うための会員登録ページＷ８１にアクセスするための“会員登録”リンク、及び会員登録を行わずにトップページＷ１にアクセスするための“終了する”リンクを有する（図１２参照）。
【００４３】
会員登録ページＷ８１は、有料サイトであるサイトＳの会員登録を行うための必要事項を設定するための項目が表示されるページで、“英語コース”リンクなどの“学習コース（学習する言語）の選択”欄を有する（図１３参照）。会員登録ページＷ８１またはさらに設けられた別ページをつかって、さらに会員登録するためのＩＤなどを付与する表示や、会員の情報（ニックネームなど）を入力するための表示が行われる（不図示）。会員登録の完了後、有料サイトであるサイトＳのアクセス条件に対応する課金が行われる。また、会員登録の完了後、テスト結果がランキングに登録される。具体的には、テストの点数（正解の場合の解答ページＷ５１に繰り返しアクセスされた回数）が、会員のニックネーム（またはＩＤなどでもよい）とともに、記録部６０Ｃに記録される。
【００４４】
本実施形態では、有料サイトの会員に登録し課金が行われるまでの間に、有料サイトの一部を無料ページとして試験的に利用することが出来る。そのため、使用者（閲覧者）は、実際の有料サイトの一部ページを閲覧した上で、会員登録を行う価値があるか否かの判断を容易に行うことが可能になる。また、無料で試験的に利用できるページは、実際に会員登録した後に使用される有料サイトの一部が利用されるため、ホームページ作成の際に、無料ページ用のファイルを別途作成する必要がない。
【００４５】
また、無料ページの閲覧においても、実際に会員登録した後に使用される有料サイト一部で行われるテストと同じテストを実行可能であり、且つテスト結果を知ることが可能になる。そのため、非会員の状態でも、会員登録した状況に近い環境で有料サイトの一部を利用することが可能になり、その後の会員登録を行いやすい状況を用意できるメリットを有する。
【００４６】
また、会員登録をしなくても有料サイトの一部を無料ページとしてアクセスできるため、会員登録でお金を使いたくない使用者、個人情報を提供したくない使用者のサイトＳへのアクセス数を増やすことも可能になる。
【００４７】
次に、非会員の使用者がサイトＳの一部の無料ページを試験的に利用して会員登録手続きを行うまでの流れを図１４のフローチャートを用いて説明する。
【００４８】
ステップＳ１１で、非会員の使用者が閲覧者側クライアントＢを介して、トップページＷ１にアクセスされる。ステップＳ１２で、トップページＷ１上の、“無料サービス”欄の“お試し１００単語チェックテスト”リンクがクリックされる。但し、“無料サービス”欄の他のリンクであってもよい。ステップＳ１３で、問題ページＷ４１にアクセスされ、テストが開始される。
【００４９】
不正解の場合の解答ページＷ６１、及び非会員用結果ページＷ７１ｂにアクセスされると、ステップＳ１４で、会員登録を行って今回行ったテストの結果をランキングに反映させるか（点数登録するか）否かが判断される。具体的には、非会員用結果ページＷ７１ｂにおいて、ランキングに反映させるために“会員登録”リンクがクリックされたか、ランキングに反映させずに“終了する”リンクがクリックされたかが判断される。
【００５０】
会員登録を行わずに、“終了する”リンクがクリックされた場合には、ステップＳ１５で、トップページＷ１にアクセスされる。ランキングに反映させるために、“会員登録”リンクがクリックされた場合には、ステップＳ１６で、会員登録ページＷ８１にアクセスされる。ステップＳ１７で、さらに、会員登録手続きのための項目（学習コースや課金する金額など）が設定される。会員登録手続き終了後、課金処理が行われ、また今回行われたテスト結果が記録部６０Ｃに記録されランキングにも反映される。
【００５１】
本実施形態では、サイトＳが課金を伴うアクセス条件を満たした会員登録済み使用者を対象とした有料サイトであるとして説明したが、アクセス条件は課金を伴わない形態であってもよい。例えば、使用者の名前を入力して会員登録するなどである。無料ページによる試用によってサイトＳのコンテンツが深く理解できることにより信用が得られ、個人情報の提供を嫌って会員登録が慎重になる使用者の、サイトＳへのアクセス数増加、さらには会員登録の増加を可能にできるメリットを有する。
【図面の簡単な説明】
【００５２】
【図１】本実施形態におけるホームページ閲覧システムの構成図である。
【図２】サイトを構成するページを示すツリー図である。
【図３】トップページの構成を示す図である。
【図４】会員用コース選択ページの構成を示す図である。
【図５】コース先頭ページの構成を示す図である。
【図６】問題ページの構成を示す図である。
【図７】今週の総合ランキングページの構成を示す図である。
【図８】今週のランキングページの構成を示す図である。
【図９】正解の場合の解答ページの構成を示す図である。
【図１０】不正解の場合の解答ページの構成を示す図である。
【図１１】会員用結果ページの構成を示す図である。
【図１２】非会員用結果ページの構成を示す図である。
【図１３】会員登録ページの構成を示す図である。
【図１４】非会員の使用者がサイトの一部を試験的に利用して会員登録手続きを行うまでの流れを示すフローチャートである。
【符号の説明】
【００５３】
１  ホームページ閲覧システム
３０Ａ  提供者側制御部
３０Ｂ  閲覧者側制御部
３０Ｃ  制御部
４０Ａ  提供者側入力部
４０Ｂ  閲覧者側入力部
５０Ａ  提供者側表示部
５０Ｂ  閲覧者側表示部
６０Ｃ  記録部
Ａ  提供者側クライアント
Ｂ  閲覧者側クライアント
Ｃ  サーバー
Ｓ  サイト
Ｗ１  トップページ
Ｗ２  会員用コース選択ページ
Ｗ３１、Ｗ３２、Ｗ３３、Ｗ３４  コース先頭ページ
Ｗ４１、Ｗ４２、Ｗ４３、Ｗ４４  問題ページ
Ｗ５１、Ｗ５２、Ｗ５３、Ｗ５４  正解の場合の解答ページ
Ｗ６１、Ｗ６２、Ｗ６３、Ｗ６４  不正解の場合の解答ページ
Ｗ７１ａ、Ｗ７２ａ、Ｗ７３ａ、Ｗ７４ａ  会員用結果ページ
Ｗ７１ｂ  非会員用結果ページ
Ｗ８１  会員登録ページ
Ｗ３０１  今週の総合ランキングページ
Ｗ３０２  今週のランキングページ
【図１】
2008186351.tif 000003
【図２】
2008186351.tif 000004
【図３】
2008186351.tif 000005
【図４】
2008186351.tif 000006
【図５】
2008186351.tif 000007
【図６】
2008186351.tif 000008
【図７】
2008186351.tif 000009
【図８】
2008186351.tif 000010
【図９】
2008186351.tif 000011
【図１０】
2008186351.tif 000012
【図１１】
2008186351.tif 000013
【図１２】
2008186351.tif 000014
【図１３】
2008186351.tif 000015
【図１４】
2008186351.tif 000016